(57)【要約】【課題】パネル全体の強度や剛性を向上させることができると共に、パネル本体部の重量化やコストアップを防止することができるフリーアクセスフロア用パネルを提供する。【解決手段】表板部４とこの表板部４の裏面側に高さを有して一体的に形成された複数のリブ６とを有するパネル本体部１２と、前記複数のリブ６のうち、前記パネル本体部１２の最も外周側に形成された第１のリブ６ａの先端部に接合される補強板部材２１とを備え、前記第１のリブ６ａの先端部と前記補強板部材２１とが摩擦撹拌接合手段により接合されている。【効果】フリーアクセスフロア用パネル全体の強度や剛性を向上させることができると共に、パネル本体部の重量化やコストアップを防止することができる。【選択図】図２
2010043449.tif 000002
【特許請求の範囲】
【請求項１】
表板部とこの表板部の裏面側に高さを有して一体的に形成された複数のリブとを有するパネル本体部と、
前記複数のリブのうち、前記パネル本体部の最も外周側に形成された第１のリブの先端部に接合される補強板部材とを備え、
前記第１のリブの先端部と前記補強板部材とが摩擦撹拌接合手段により接合されている
ことを特徴とするフリーアクセスフロア用パネル。
【請求項２】
前記補強板部材の四隅部に切欠き部が形成されている
ことを特徴とする請求項１に記載のフリーアクセスフロア用パネル。
【請求項３】
前記複数のリブは、前記第１のリブの内側領域内において前記表板部の辺と平行方向に伸びるよう形成された第２のリブを有し、
少なくとも１つ以上の前記第２のリブの先端部と前記補強板部材とが接合されている
ことを特徴とする請求項１又は２に記載のフリーアクセスフロア用パネル。
【請求項４】
前記複数のリブは、前記第１のリブの内側領域内において前記表板部の辺と所定の角度で傾いた方向に伸びるよう形成された第３のリブを有し、
少なくとも１つ以上の前記第３のリブの先端部と前記補強板部材とが接合されている
ことを特徴とする請求項１から３のいずれかに記載のフリーアクセスフロア用パネル。
【発明の詳細な説明】
【技術分野】
【０００１】
本発明は、クリーンルームや電算室等の部屋の床部に敷設されるフリーアクセスフロアの床面を形成するフリーアクセスフロア用パネルに関するものである。
【背景技術】
【０００２】
図１４及び図１５は、第１の従来技術に係るフリーアクセスフロア用パネル２（以下、パネル２ともいう）を示す平面図及び側面断面図である。このパネル２は、不図示の支持脚により所定の高さで水平に支持された状態を保持し、クリーンルームや電算室等の部屋の床面を形成するように並べて敷設されることにより、このパネル２と、その下方の下地床面との間の空間に配管や配線を通すことができる、フリーアクセスフロアを形成するようになっている。
【０００３】
この従来のフリーアクセスフロア用パネル２は、その材質にアルミニウム合金を用いたダイカスト製品であって、フリーアクセスフロアの床面を形成する平板部４と、この平板部４の裏面側に一体的に形成された複数のリブ６を備えて構成されている。複数のリブ６のそれぞれは、平板部４に沿って長さが伸びるように形成され、図２に示すように、格子状に配置されている。パネル２は、このような複数のリブ６が形成されていることにより、その強度が向上するようになっていた。
【０００４】
次に、図１６は、第２の従来技術に係るフリーアクセスフロア用パネル１０（以下、パネル１０ともいう）を示す側面断面図である（例えば、特許文献１参照）。この第２の従来技術に係るパネル１０は、上記第１の従来技術に係るパネル２と同様に、平板部４と複数のリブ６とを備えて構成されている。
【０００５】
この第２の従来技術に係る、パネル１０における平板部４と複数のリブ６は、上記第１の従来技術に係るパネル２と同様に、やはり一体形成されたものであって、その材質にアルミニウム合金を用いたダイカスト製品である。このパネル１０においては、これら平板部４と複数のリブ６とを備えて構成されている部分を、パネル本体部１２と呼ぶこととする。
【０００６】
また、この第２の従来のパネル１０は、補強板部材１４を備えている。この補強板部材１４は、アルミニウム合金製の板状の素材からパネル本体部１２の平板部４より僅かに小さ目の大きさに切取って形成したものであって、そのパネル本体部１２側の面が、複数のリブ６のそれぞれの先端面に接着又は溶接により固着されている。
【特許文献１】実開昭６３−９４２４１号公報
【発明の開示】
【発明が解決しようとする課題】
【０００７】
しかしながら、上記第１の従来技術に係るフリーアクセスフロア用パネル２においては、その強度を向上させるために、そのパネル２の平板部４や、複数のリブ６のそれぞれの厚さを厚くしたり、或はリブ６の数を増やしたりすることが行われていた。このため、この第１の従来技術に係るフリーアクセスフロア用パネル２は、その強度を向上させようとすると、その重量化やコストアップを招くことが避けられないという問題があった。
【０００８】
また、上記第２の従来技術に係るパネル１０のように、その補強板部材１４をパネル本体部１２のリブ６の先端面に接着又は溶接により固着した場合には、上記第１の従来技術に係るパネル２のように、その平板部４や、複数のリブ６のそれぞれの厚さを厚くしたり、或はリブの数を増やしたりしなくとも、一定の範囲内でその強度を向上させることができる。
【０００９】
しかしながら、上記第２の従来技術に係るパネル１０においては、その補強板部材１４をパネル本体部１２のリブ６の先端面に接着により固着した場合には、両者間が剥がれ易いので、補強板部材１４とリブ６の両者を、上記一定の範囲を越えた、より大きな（十分な）強度で接合して、パネル全体の強度や剛性を向上させることが難しいという問題があった。
【００１０】
また、上記第２の従来技術に係るパネル１０においては、補強板部材１４の外周部を、パネル本体部１２の平板部４の外周部に沿って配置されたリブ６の先端部に溶接により固着した場合には、この補強板部材１４とパネル本体部１２の両者がアルミニウムを主体とする金属材料である場合は、アルミニウムを主体とする金属は溶接作業に適さない特性を有するので、溶接部に欠陥が生じ易い。このため、やはり補強板部材１４とリブ６の両者を上記十分な強度で接合して、パネル全体の強度や剛性を向上させることが難しいという問題があった。
【００１１】
このことにより、上記第２の従来技術に係るパネル１０においては、補強板部材１４による強度の向上に限界があり、上記十分な強度を発揮させるようにするためには、結局、そのパネル本体部１２の平板部４や、複数のリブ６のそれぞれの厚さを厚くしたり、或はリブ６の数を増やしたりしなければならないので、やはりパネル本体部１２の重量化やコストアップが避けられないという問題があった。
【００１２】
そこで本発明は、上記問題点に鑑みて、パネル全体の強度や剛性を向上させることができると共に、パネル本体部の重量化やコストアップを防止することができるフリーアクセスフロア用パネルを提供することを課題とするものである。
【課題を解決するための手段】
【００１３】
上記課題を解決するために、本発明によるフリーアクセスフロア用パネルは、
表板部とこの表板部の裏面側に高さを有して一体的に形成された複数のリブとを有するパネル本体部と、
前記複数のリブのうち、前記パネル本体部の最も外周側に形成された第１のリブの先端部に接合される補強板部材とを備え、
前記第１のリブの先端部と前記補強板部材とが摩擦撹拌接合手段により接合されていることを特徴とするものである。
【００１４】
また、本発明によるフリーアクセスフロア用パネルは、
前記補強板部材の四隅部に切欠き部が形成されていることを特徴とするものである。
【００１５】
また、本発明によるフリーアクセスフロア用パネルは、
前記複数のリブは、前記第１のリブの内側領域内において前記表板部の辺と平行方向に伸びるよう形成された第２のリブを有し、
少なくとも１つ以上の前記第２のリブの先端部と前記補強板部材とが接合されていることを特徴とするものである。
【００１６】
また、本発明によるフリーアクセスフロア用パネルは、
前記複数のリブは、前記第１のリブの内側領域内において前記表板部の辺と所定の角度で傾いた方向に伸びるよう形成された第３のリブを有し、
少なくとも１つ以上の前記第３のリブの先端部と前記補強板部材とが接合されていることを特徴とするものである。
【発明の効果】
【００１７】
このような本発明に係るフリーアクセスフロア用パネルによれば、
表板部とこの表板部の裏面側に高さを有して一体的に形成された複数のリブとを有するパネル本体部と、
前記複数のリブのうち、前記パネル本体部の最も外周側に形成された第１のリブの先端部に接合される補強板部材とを備え、
前記第１のリブの先端部と前記補強板部材とが摩擦撹拌接合手段により接合されていることにより、
パネル全体の強度や剛性を向上させることができると共に、パネル本体部の重量化やコストアップを防止することができる。
特に補強板部材をパネル本体部の最も外周側に形成された第１のリブの先端部に接合することにより、補強板部材を第１のリブの内側領域内の他のリブのみに接合した場合に比べ、パネル全体の強度や剛性をより大きく向上させることができる。
【００１８】
また、本発明に係るフリーアクセスフロア用パネルによれば、
前記補強板部材の四隅部に切欠き部が形成されていることにより、
パネル本体部の四隅部下面がパネル支持台の支持面に直接接触するようにできるので、パネル本体部の四隅部をパネル支持台の支持面に高精度で支持させることが可能となる。
【００１９】
また、本発明に係るフリーアクセスフロア用パネルによれば、
前記複数のリブは、前記第１のリブの内側領域内において前記表板部の辺と平行方向に伸びるよう形成された第２のリブを有し、
少なくとも１つ以上の前記第２のリブの先端部と前記補強板部材とが接合されていることにより、
補強板部材をパネル本体部の最も外周側に形成された第１のリブの先端部に接合することに加え、さらに、少なくとも１つ以上の前記第２のリブの先端部と補強板部材とが接合されているので、補強板部材を上記第１のリブの先端部に接合しただけの場合に比べ、パネル全体の強度や剛性をさらに大きく向上させることができる。
【００２０】
また、本発明に係るフリーアクセスフロア用パネルによれば、
前記複数のリブは、前記第１のリブの内側領域内において前記表板部の辺と所定の角度で傾いた方向に伸びるよう形成された第３のリブを有し、
少なくとも１つ以上の前記第３のリブの先端部と前記補強板部材とが接合されていることにより、
補強板部材をパネル本体部の最も外周側に形成された第１のリブの先端部に接合することに加え、さらに、少なくとも１つ以上の前記第３のリブの先端部と補強板部材とが接合されているので、補強板部材を上記第１のリブの先端部に接合しただけの場合に比べ、パネル全体の強度や剛性をさらに大きく向上させることができる。
【発明を実施するための最良の形態】
【００２１】
以下、本発明に係るフリーアクセスフロア用パネルを実施するための最良の形態について、図面に基づいて具体的に説明する。
【００２２】
以下において、本発明はその実施例の数が多いので、これら複数の実施例のそれぞれを、重複するものも含めて、互いに共通点を有するグループ毎に各実施の形態に分けて説明することにする。
【００２３】
図１から図３は、本発明の第１の実施の形態に係る、第１の実施例のフリーアクセスフロア用パネル２０について説明するために参照する図である。前記第２の従来技術に係るフリーアクセスフロア用パネル１０と同様の部分には同じ符号を用いて説明し、従来と同様の構成についての重複する説明はできるだけ省略するものとする。
【００２４】
本実施例に係るフリーアクセスフロア用パネル２０（以下、パネル２０と呼ぶこともある）は、図１に示すように、そのパネル本体部１２と、その複数のリブ６の下部に接合される補強板部材２１を備えている。この補強板部材２１はその平面形状が、パネル本体部１２の平板部４（表板部）と同じ四辺形であって、その平板部４の平面形状の大きさより僅かに小さ目の大きさの平面形状を有している。
【００２５】
この補強板部材２１は、図１に示すように、そのパネル本体部１２側の面において、複数のリブ６の全部と接触しているが、図２に示すように、補強板部材２１は、これらのリブ６のうち、上記平板部４の四辺形の最も外周側に配置され、四辺形の各辺に沿って形成された４本のリブ６（以下、第１のリブ６ａという）の先端部に接合されている。
このときの接合は、摩擦撹拌接合手段（Ｆｒｉｃｔｉｏｎ  Ｓｔｉｒ  Ｗｅｌｄｉｎｇ）により接合されている。
【００２６】
ここで、摩擦撹拌接合手段とは、例えば、特許第２７１２８３８号，第２７９２２３３号公報に記載されているように、略円柱形状の部分と、その部分の先端面から同一軸線上に突出するネジ棒状の突起部（以下、プローブと呼ぶ）とを有する工具を、その軸線回りに回転させながら接合部材同士の接合部分に対応する面、又はその近傍部の面にほぼ垂直に押し付ける。
【００２７】
このときの、回転するプローブと接合部材との間の摩擦熱で、接合部材を液状化手前まで軟化させると共に、この軟化した接合部材の肉厚内に前記プローブがその先端部から入り込んで、接合部材同士間において回転するプローブによる撹拌作用により塑性流動を生じさせ、接合部材同士の接合部分の組織を練り混ぜることにより一体化させた後、温度降下により固化するような接合手段をいう。
【００２８】
パネル２０におけるパネル本体部１２の第１のリブ６ａと補強板部材２１との間の摩擦撹拌接合の作業は、補強板部材２１の、パネル本体部１２とは反対側の平面における、その裏側（パネル本体部１２側）の第１のリブ６ａに対応する位置に、その摩擦撹拌接合を行なう不図示の装置の回転する工具のプローブ先端部が押し当てられる。
【００２９】
そして、このプローブが補強板部材２１を熱により前記のように軟化させて、第１のリブ６ａに向かって進んで、補強板部材２１の肉厚を貫通し、プローブ先端部が第１のリブ６ａの先端部内にも潜り込んで、その部分を液状化手前まで軟化させる。その後、前記プローブが第１のリブ６ａの長さ方向に沿って移動していくことにより、第１のリブ６ａと補強板部材２１との間の摩擦撹拌接合が行なわれる。
【００３０】
図３は、パネル２０の補強板部材２１が、その平面形状の周部において、パネル本体部１２における平板部４の最外周の第１のリブ６ａ（図示せず）と実際に接合されている接合領域の部分を示し、これをハッチングにより示すようにしたパネル２０の底面図である。このような接合領域の形状は、図２に示すパネル本体部１２の平板部４における最外周の４本の第１のリブ６ａの位置や長さに沿って、及び補強板部材２１の周部に沿って、四辺形の四辺のそれぞれを構成する帯状に形成される。
【００３１】
なお、図３中においては、パネル本体部１２の平板部４における最外周の第１のリブ６ａ、及びそれ以外の複数のリブ６それぞれの輪郭を示す実線や破線（図２参照）については、図面が複雑化するのを防止するために図示していない。
【００３２】
このような本発明の第１の実施の形態に係る、第１の実施例のフリーアクセスフロア用パネル２０によれば、その補強板部材２１が、パネル本体部１２の最外周の第１のリブ６ａの先端部に対して、図３にハッチングにより示す接合領域において、上記摩擦撹拌接合により接合されているので、パネル２０全体の強度や剛性を向上させることができると共に、パネル本体部１２の重量化やコストアップを防止することができる。
【００３３】
特に補強板部材２１をパネル本体部１２の最も外周側に形成された第１のリブ６ａの先端部に接合することにより、補強板部材２１を第１のリブ６ａの内側領域内の他のリブ６のみに接合した場合に比べ、パネル全体の強度や剛性をより大きく向上させることができる。
【００３４】
次に、図４及び図５は、本発明の第１の実施の形態に係る、上記した第１の実施例のパネル２０を含め、第２から第２０までの実施例のフリーアクセスフロア用パネル２２から４０について説明するために参照する一覧図である。これらの図のそれぞれは、上記した第１の実施例のパネル２０を説明する際に参照した図３に相当するものである。
【００３５】
図４及び図５において、これら一覧にした各図の左上側に付した括弧内に、ハイフンを挟んで記載される２つの数字は、ハイフンの前側の数字が、本発明の実施の形態に対応する番号であり、ハイフンの後ろ側の１から２０の数字が、その実施例のそれぞれに付した通し番号である。例えば、〔１−２〕との表記は、その図が第１の実施の形態に係るものであって、第２の実施例のパネルであることを表しているものとする。
【００３６】
以下、第２から第４の実施の形態に係る、各実施例のパネルにおいても、同様の表記を付するものとする。
【００３７】
図４中において〔１−１〕と付した、第１の実施の形態に係る、第１の実施例のパネル２０においては、図４に示すように、その補強板部材２１が、そのハッチング領域の図中裏側に配置されたパネル本体部１２の不図示の最外周の第１のリブ６ａに対してのみ、このハッチング領域で接合されるようになっている。
【００３８】
そして、図４及び図５に示すように、第１の実施の形態に係る、第２から第２０の実施例〔１−２〕から〔１−２０〕のパネル２２から４０においては、補強板部材２１は、このようなパネル本体部１２の不図示の最外周の第１のリブ６ａに接合されている点においては共通しているが、この最外周の第１のリブ６ａの内側に形成される他の不図示のリブ６に対しても図中ハッチング領域で接合されている点において、それぞれの実施例は、前記第１の実施例のパネル２０と異なっている。
【００３９】
また、これらの第１の実施の形態に係る、第２から第２０までの実施例のパネル２２から４０のそれぞれは、その補強板部材２１の平面上における、縦方向、横方向又は斜め方向に伸びるように形成された、或いは、円周方向に連続して円環状に形成されたような、帯状のハッチングで示す領域（接合領域）以外の他の領域の図中裏側に、パネル本体部１２が有する他のリブ６が形成されているかどうかについてはどちらでもよいが、ハッチングで示す帯状領域の図中裏側には、必ずそのハッチングに対応するリブ６が配置されているものとする。
【００４０】
このような本発明の第１の実施の形態に係る、第２から第２０までの実施例〔１−２〕から〔１−２０〕のフリーアクセスフロア用パネル２２から４０によれば、上記した本実施の形態に係る第１の実施例〔１−１〕のフリーアクセスフロア用パネル２０と同様に、その補強板部材２１が、パネル本体部１２の最外周の第１のリブ６ａに対して、上記摩擦撹拌接合により接合されているので、パネル全体の強度や剛性を向上させることができると共に、パネル本体部１２の重量化やコストアップを防止することができる。
【００４１】
また、本実施の形態に係る、第２から第２０までの実施例のパネル２２から４０によれば、その補強板部材２１が、パネル本体部１２の複数のリブ６のうちの、その最外周の第１のリブ６ａに対してだけでなく、この最外周の第１のリブ６ａの内側に形成される他のリブ６に対しても、各種の接合領域において、上記摩擦撹拌接合により接合されているので、補強板部材２１を上記第１のリブ６ａの先端部に接合しただけの場合に比べ、パネル全体の強度や剛性をさらに大きく向上させることができる。
【００４２】
次に、図６及び図７は、本発明の第２の実施の形態に係る、第１の実施例のフリーアクセスフロア用パネル５０について説明するために参照する図である。前記第１の実施の形態に係る、第１の実施例のフリーアクセスフロア用パネル２０と同様の部分には同じ符号を用いて説明し、同様の構成についての重複する説明はできるだけ省略するものとする。
【００４３】
この第２の実施の形態に係る、第１の実施例のフリーアクセスフロア用パネル５０（以下、パネル５０と呼ぶこともある）も、前記各実施例のフリーアクセスフロア用パネルと同様に、パネル本体部１２と補強板部材５１を備えている。
【００４４】
そして、このパネル５０の補強板部材５１には、図６に示すように、パネル本体部１２の平板部４の四隅部、すなわち、その平板部４の最も外周側に形成された、第１のリブ６ａの四隅部に対応する、補強板部材５１の四隅部に、切欠き部５１ａが形成されている。
【００４５】
すなわち、このパネル５０の補強板部材５１は、その平面形状がパネル本体部１２の平板部４より僅かに小さ目の大きさの正方形であって、この正方形の四隅部のそれぞれに、第１のリブ６ａの四隅部に対応する小さい正方形が切り取られた形状の、切欠き部５１ａが形成されている。
【００４６】
このため、パネル本体部１２の平板部４の最も外周側に形成された、第１のリブ６ａの四隅部だけは補強板部材５１に覆われないで、図６中手前側（パネル取付施工時は下地コンクリート床面側）に露出している。
【００４７】
パネル５０がアルミダイカスト製パネルの場合は、例えば図６中の、パネル本体部１２の四隅のリブ６ａの、斜線の入ったＬ字形部分で示す載置部６ｅは、パネル支持調整台の支持平面部に載置されるため、その載置部６ｅの高さは、それ以外の部分のリブ６の高さよりも、図６中手前側（取付施工時は下地床面側）に少し突出するように高く製作されている。そして、パネルの四隅部を上記パネル支持調整台の支持平面部上に安定して載置させるためには、載置部６ｅには平坦度が必要であり、一般に載置部６ｅには機械加工が施されている。
【００４８】
このため、例えば溶接のように接合箇所が盛り上がる等、補強板部材５１をリブに接合するための加工により、上記載置部６ｅの、せっかく出した平坦度が失われる可能性があるので、このようなことを防ぐために、補強板部材５１がその載置部６ｅを避けて、補強板部材５１の四隅部には切欠き部５１ａが形成されている。
【００４９】
図７は、このような補強板部材５１と、パネル本体部１２における第１のリブ６ａとの接合領域を示し、これをハッチングにより示すようにしたパネル５０の底面図である。補強板部材５１は、その外周の長さ方向の全体にわたって、パネル本体部１２の第１のリブ６ａに接合されている。図７において、第１のリブ６ａの四隅部や他のリブ６は、図中ハッチングにより示す接合領域を明確にするために、省略するものとする。
【００５０】
このような本発明の第２の実施の形態に係る、第１の実施例のパネル５０によれば、その補強板部材５１が、パネル本体部１２における複数のリブ６のうちの、最外周の第１のリブ６ａに対して図７にハッチングにより示す接合領域において、上記摩擦撹拌接合により接合されているので、パネル全体の強度や剛性を向上させることができると共に、パネル本体部１２の重量化やコストアップを防止することができる。
【００５１】
そして特に、補強板部材５１をパネル本体部１２の最も外周側に形成された第１のリブ６ａの先端部に接合することにより、補強板部材５１を第１のリブ６ａの内側領域内の他のリブ６のみに接合した場合に比べ、パネル全体の強度や剛性をより大きく向上させることができる。
【００５２】
また、本実施例のパネル５０によれば、補強板部材５１の四隅に切欠き部５１ａが形成されているので、例えば溶接のように接合箇所が盛り上がる等、補強板部材５１をリブ６ａに接合するための加工により、前記載置部６ｅの、せっかく出した平坦度が失われるおそれを防ぐことができる。
【００５３】
次に図８は、本発明の第２の実施の形態に係る、上記した第１の実施例〔２−１〕のパネル５０を含め、第２から第１０までの実施例〔２−２〕から〔２−１０〕のフリーアクセスフロア用パネル５５から６３について説明するために参照する一覧図である。
【００５４】
図８に示すように、第２の実施の形態に係る、第２から第１０の実施例のパネル５５から６３においては、その補強板部材５１は、上記した本実施の形態に係る第１の実施例のパネル５０と同様に、図６に示す第１のリブ６ａと同様のパネル本体部１２の第１のリブ６ａ（図８中において不図示）に接合されるが、この第１のリブ６ａだけでなく、その内側の他のリブ６に対しても接合されている。
【００５５】
このような本発明の第２の実施の形態に係る、第２から第１０までの実施例〔２−２〕から〔２−１０〕のパネル５５から６３によれば、上記した本実施の形態に係る第１の実施例〔２−１〕のパネル５０と同様に、その補強板部材５１が、パネル本体部１２における複数のリブ６のうちの、最外周の第１のリブ６ａに対して各種の接合領域において、上記摩擦撹拌接合により接合されているので、パネル全体の強度や剛性を向上させることができると共に、パネル本体部１２の重量化やコストアップを防止することができる。
【００５６】
また、第２の実施の形態に係る、第２から第１０までの実施例のパネル５５から６３によれば、上記した本実施の形態に係る第１の実施例のパネル５０と同様に、その補強板部材５１の四隅に切欠き部５１ａ（図８中において、符号は不図示）が形成されているので、例えば溶接のように接合箇所が盛り上がる等、補強板部材５１をリブ６ａに接合するための加工により、前記載置部６ｅの、せっかく出した平坦度が失われるおそれを防ぐことができる。
【００５７】
また、本実施の形態に係る、第２から第１０までの実施例のパネル５５から６３によれば、その補強板部材５１が、パネル本体部１２の最外周の第１のリブ６ａに対してだけでなく、この第１のリブ６ａの内側に形成される他のリブ６に対しても各種の接合領域において、上記摩擦撹拌接合により接合されているので、補強板部材５１を上記第１のリブ６ａの先端部に接合しただけの場合に比べ、パネル全体の強度や剛性をさらに大きく向上させることができる。
【００５８】
次に図９から図１１は、本発明の第３の実施の形態に係る、第１から第２１までの実施例〔３−１〕から〔３−２１〕のフリーアクセスフロア用パネル７１から９１について説明するために参照する一覧図である。
【００５９】
この第３の実施の形態に係る、第１から第２１までの実施例のパネル７１から９１のそれぞれは、上記した第１又は第２の実施の形態に係る各実施例のパネルの一部と互いに重複してはいるが、本実施の形態に係る各種パネルの特徴となる構成を明確にするために、以下に改めて説明することとする。前記第１及び前記第２の実施の形態に係る各実施例の説明中において既に説明した構成と重複する構成についての説明は、できるだけ省略するものとする。
【００６０】
図９から図１１に示すように、第３の実施の形態に係る、第１から第２１までの実施例のパネル７１から９１のそれぞれにおいては、その補強板部材２１又は５１上のハッチング領域の裏側に形成される、パネル本体部１２の不図示の複数のリブ６の一部として、このような複数のリブ６のうちの、最外周の第１のリブ６ａ（図２及び図６参照）の内側の領域内に、パネル本体部１２の平板部４の四辺のうちのいずれかと平行方向に伸びる不図示のリブ６（第２のリブに相当）が形成されている。
【００６１】
すなわち、第３の実施の形態に係る、第１から第２１までの実施例のパネル７１から９１のそれぞれにおいては、パネル本体部１２における複数のリブ６のうちの、最外周の第１のリブ６ａ（図２及び図６参照）の内側の領域内に形成されるリブ６の全部又は一部が、パネル本体部１２の平板部４の四辺のうちのいずれかと平行方向に伸びるように形成されている。
【００６２】
そして、第１から第１５までの実施例〔３−１〕から〔３−１５〕のパネル７１から８５のそれぞれにおいては、補強板部材２１（図２参照）が、このような最外周の第１のリブ６ａの内側領域内において、平板部４の四辺のうちのいずれかと平行方向に伸びるように形成されたリブ６のうちの、少なくとも１つ以上のリブ６に対しても接合されている。
【００６３】
また、第１６から第２１までの実施例〔３−１６〕から〔３−２１〕のパネル８６から９１のそれぞれにおいては、四隅に切欠き部５２（図６参照）を有する補強板部材５１が、このような最外周の第１のリブ６ａの内側領域内において、平板部４の四辺のうちのいずれかと平行方向に伸びるように形成されたリブ６のうちの、少なくとも１つ以上のリブ６に対しても接合されている。
【００６４】
このような本発明の第３の実施の形態に係る、第１から第２１までの実施例〔３−１〕から〔３−２１〕のパネル７１から９１によれば、その補強板部材２１又は５１が、パネル本体部１２の最外周の第１のリブ６ａに対してだけでなく、その内側においてパネル本体部１２の平板部４の四辺のうちのいずれかと平行方向に伸びるよう形成されたリブ６のうちの、少なくとも１つ以上のリブ６に対しても、各種の接合領域において、上記摩擦撹拌接合により接合されているので、補強板部材２１又は５１を上記第１のリブ６ａの先端部に接合しただけの場合に比べ、パネル全体の強度や剛性をさらに大きく向上させることができる。
【００６５】
次に図１２及び図１３は、本発明の第４の実施の形態に係る、第１から第１３までの実施例〔４−１〕から〔４−１３〕のフリーアクセスフロア用パネル１０１から１１３について説明するために参照する一覧図である。
【００６６】
この第４の実施の形態に係る第１から第１３までの実施例のパネル１０１から１１３のそれぞれは、上記した第１、第２の実施の形態のいずれか１つ又は複数の実施の形態に係る各実施例の一部のパネルと互いに重複してはいるが、本実施の形態に係る、各種パネルの特徴となる構成を明確にするために、以下に改めて説明することとする。前記第１、第２の実施の形態に係る各実施例のパネルについて既に説明した構成と重複する構成についての説明は、できるだけ省略するものとする。
【００６７】
図１２及び図１３に示すように、第４の実施の形態に係る、第１から第１３までの実施例のパネル１０１から１１３のそれぞれにおいては、その補強板部材２１又は５１上のハッチング領域の裏側に形成される、パネル本体部１２における不図示の複数のリブ６のうちの、最外周の第１のリブ６ａ（図２及び図６参照）の内側の領域内に、パネル本体部１２の平板部４の対角線のうちのいずれかの方向（平板部４の各辺と所定の角度で傾いた方向）と平行方向に伸びる不図示のリブ６（第３のリブに相当）が形成されている。
【００６８】
すなわち、第１から第１３までの実施例のパネル１０１から１１３のそれぞれにおいては、パネル本体部１２における複数のリブ６のうちの、最外周の第１のリブ６ａ（図２及び図６参照）の内側の領域内に形成されるリブ６の全部又は一部が、パネル本体部１２の平板部４の対角線のうちのいずれかの方向と平行方向に伸びるように形成されている。
【００６９】
そして、第１から第９までの実施例〔４−１〕から〔４−９〕のパネル１０１から１０９のそれぞれにおいては、補強板部材２１が、パネル本体部１２の最外周の第１のリブ６ａの内側領域内において、平板部４の対角線のうちのいずれかの方向と平行方向に伸びるように形成されたリブ６のうちの、少なくとも１つ以上のリブ６に対しても接合されている。
【００７０】
また、第１０から第１３までの実施例〔４−１０〕から〔４−１３〕のパネル１１０から１１３のそれぞれにおいては、四隅に切欠き部５１ａ（図６参照）を有する補強板部材５１が、パネル本体部１２の最外周の第１のリブ６ａの内側領域内において、平板部４の対角線のうちのいずれかの方向と平行方向に伸びるように形成されたリブ６のうちの、少なくとも１つ以上のリブ６に対しても接合されている。
【００７１】
このような第４の実施の形態に係る、第１から第１３までの実施例〔４−１〕から〔４−１３〕のパネル１０１から１１３によれば、その補強板部材２１又は５１が、パネル本体部１２の最外周の第１のリブ６ａに対してだけでなく、この最外周の第１のリブ６ａの内側においてパネル本体部１２の平板部４の対角線のうちのいずれかの方向と平行方向に伸びるよう形成されたリブ６のうちの、少なくとも１つ以上のリブ６に対しても、各種の接合領域において、上記摩擦撹拌接合により接合されているので、補強板部材２１又は５１を上記第１のリブ６ａの先端部に接合しただけの場合に比べ、パネル全体の強度や剛性をさらに大きく向上させることができる。
【００７２】
なお、前記各実施の形態に係る、各実施例のパネルのそれぞれにおいては、その補強板部材２１又は５１と、パネル本体部１２の最外周の第１のリブ６ａや他のリブ６とが、リブの伸びる方向に連続して接合されていたが、リブの伸びる方向に断続的に接合されていてもよい。また、このような場合には、接合部分がスポット状の接合領域で接合されていてもよい。
【００７３】
また、前記各実施の形態に係る各実施例のパネルのそれぞれにおいては、そのパネル本体部１２におけるリブ６の全部が同じ高さを有するように形成されていたが、補強板部材２１又は５１に対して接合されないリブが、接合されるリブ６よりも低い高さとなるように形成されていてもよい。
【００７４】
また、図８に〔２−１〕で示す、前記第２の実施の形態に係る、第１の実施例のパネル５０においては、図６にも示すように、パネル本体部１２の平板部４の最外周の第１のリブ６ａは、その四隅部には載置部６ｅを有するリブ６ａが存在して、切欠き部が形成されるようにはなっていなかったが、パネルの支持脚の支持型式によっては、最外周の第１のリブ６ａの四隅部に切欠き部が形成されていてもよく、この場合は、その平板部４の四隅部だけがパネル本体部１２に存在し、その平板部４の四隅部だけが支持脚により支持されるようになっていてもよい。
【００７５】
また、第２の実施の形態に係る第２から第１０の実施例〔２−２〕から〔２−１０〕のパネル５５から６３においても、上記と同様になっていてもよい。
【００７６】
また、前記第４の実施の形態に係る、第１から第１３までの実施例のパネル１０１から１１３においては、平板部４の対角線のうちのいずれかの方向と平行方向に伸びるリブ６を有していたが、平板部４が正方形の場合はその対角線は平板部４の各辺に対して、４５°の角度で傾く方向に伸びるリブ６を有することになるが、平板部４の各辺に対して４５°以外の角度で傾く方向に伸びるリブ６を有するようにしてもよい。
【００７７】
また、前記第３、第４の実施の形態に係る、各実施例においては、補強板部材２１又は５１が、前記第１のリブ６ａだけでなく、平板部４の四辺のうちのいずれかと平行方向に伸びるように形成された第２のリブ６のうちの、「少なくとも１つ以上」のリブ６に対しても接合する場合と、平板部４の対角線のうちのいずれかの方向と平行方向に伸びるように形成された第３のリブ６のうちの、「少なくとも１つ以上」のリブ６に対しても接合する場合について説明したが、上記第２、第３のリブ６の数が少ない場合は、「すべての」第２、第３のリブ６に対して接合してもよい。
【図面の簡単な説明】
【００７８】
【図１】本発明の第１の実施の形態に係る、第１の実施例のフリーアクセスフロア用パネル２０を示す側面断面図である。
【図２】図１におけるフリーアクセスフロア用パネル２０を示す底面図である。
【図３】図１におけるフリーアクセスフロア用パネル２０の接合領域を示す底面図である。
【図４】本発明の第１の実施の形態に係る、第１から第１０までの実施例〔１−１〕から〔１−１０〕のフリーアクセスフロア用パネル２０及び２２から３０のそれぞれの接合領域を示す底面図である。
【図５】本発明の第１の実施の形態に係る、第１１から第２０までの実施例〔１−１１〕から〔１−２０〕のフリーアクセスフロア用パネル３１から４０のそれぞれの接合領域を示す底面図である。
【図６】本発明の第２の実施の形態に係る、第１の実施例のフリーアクセスフロア用パネル５０を示す底面図である。
【図７】図６におけるフリーアクセスフロア用パネル５０の接合領域を示す底面図である。
【図８】本発明の第２の実施の形態に係る、第１から第１０までの実施例〔２−１〕から〔２−１０〕のフリーアクセスフロア用パネル５０及び５５から６３の接合領域を示す底面図である。
【図９】本発明の第３の実施の形態に係る、第１から第７までの実施例〔３−１〕から〔３−７〕のフリーアクセスフロア用パネル７１から７７の接合領域を示す底面図である。
【図１０】本発明の第３の実施の形態に係る、第８から第１４までの実施例〔３−８〕から〔３−１４〕のフリーアクセスフロア用パネル７８から８４の接合領域を示す底面図である。
【図１１】本発明の第３の実施の形態に係る、第１５から第２１までの実施例〔３−１５〕から〔３−２１〕のフリーアクセスフロア用パネル８５から９１の接合領域を示す底面図である。
【図１２】本発明の第４の実施の形態に係る、第１から第７までの実施例〔４−１〕から〔４−７〕のフリーアクセスフロア用パネル１０１から１０７の接合領域を示す底面図である。
【図１３】本発明の第４の実施の形態に係る、第８から第１３までの実施例〔４−８〕から〔４−１３〕のフリーアクセスフロア用パネル１０８から１１３の接合領域を示す底面図である。
【図１４】第１の従来技術に係るフリーアクセスフロア用パネル２を示す平面図である。
【図１５】図１４に示すフリーアクセスフロア用パネル２のＡ−Ａ線矢視断面図である。
【図１６】第２の従来技術に係るフリーアクセスフロア用パネル１０を示す側面断面図である。
【符号の説明】
【００７９】
２  フリーアクセスフロア用パネル
４  平板部
４ａ  嵌合孔
６  リブ
６ａ  第１のリブ
６ｅ  載置部
１０  フリーアクセスフロア用パネル
１２  パネル本体部
１４  補強板部材
２０，２２から４０，５０，５５から６３，７１から９１，１０１から１１３  フリーアクセスフロア用パネル
２１，５１  補強板部材
５１ａ  切欠き部
【図１】
2010043449.tif 000003
【図２】
2010043449.tif 000004
【図３】
2010043449.tif 000005
【図４】
2010043449.tif 000006
【図５】
2010043449.tif 000007
【図６】
2010043449.tif 000008
【図７】
2010043449.tif 000009
【図８】
2010043449.tif 000010
【図９】
2010043449.tif 000011
【図１０】
2010043449.tif 000012
【図１１】
2010043449.tif 000013
【図１２】
2010043449.tif 000014
【図１３】
2010043449.tif 000015
【図１４】
2010043449.tif 000016
【図１５】
2010043449.tif 000017
【図１６】
2010043449.tif 000018